(57)【特許請求の範囲】
【請求項１】
視覚的に知覚できない継ぎ目を有するようにエッジ効果に対する補償を有するタイル状フラットパネル液晶ディスプレイ（ＬＣＤ）であって、
互いの間に継ぎ目を有する形で互いに隣接して配置されている第１および第２のＬＣＤタイルであって、前記タイルの各々は前記継ぎ目の付近のエッジと、複数のピクセルが配列されている内側領域とを有し、前記ピクセルの各々は、それぞれのピクセル励起信号によって励起される時に、透過光を変更させるようになっている、第１および第２のＬＣＤタイルと、
前記ピクセルからの前記変更された透過光の輝度と色度の偏差を予め決められた閾値よりも低減するように、前記エッジ効果に応答して前記ピクセル励起信号を選択的に変更する手段と、
を含むタイル状フラットパネル液晶ディスプレイ（ＬＣＤ）。
【請求項２】
前記ピクセルはサブピクセルを含み、前記ピクセル励起信号はサブピクセル励起信号を含み、前記サブピクセルの各々は、対応するサブピクセル励起信号による励起を受けて、異なった予め決められた色度と輝度を有する光を透過させるようになっており、前記ピクセル励起信号を選択的に変更する前記手段は、前記サブピクセル励起信号を変更する手段を含む請求項１に記載のタイル状フラットパネルＬＣＤ。
【請求項３】
前記ピクセルの各々は原色サブピクセルを含む請求項２に記載のタイル状フラットパネルＬＣＤ。
【請求項４】
前記原色サブピクセルは赤色サブピクセルと緑色サブピクセルと青色サブピクセルとを含む請求項３に記載のタイル状フラットパネルＬＣＤ。
【請求項５】
前記サブピクセル励起信号を選択的に変更する前記手段は、前記ディスプレイの予め決められた領域全体にわたる前記変更された透過光の輝度と色度の偏差を、前記予め決められた閾値よりも低い値に低減させるようになっている請求項２に記載のタイル状フラットパネルＬＣＤ。
【請求項６】
前記変更された透過光の輝度と色度の偏差は、急激な偏差と緩やかな偏差の何れかから成る請求項５に記載のタイル状フラットパネルＬＣＤ。
【請求項７】
前記サブピクセル励起信号を選択的に変更する前記手段は個々のサブピクセルに適用される請求項６に記載のタイル状フラットパネルＬＣＤ。
【請求項８】
前記サブピクセル励起信号を選択的に変更する前記手段は、前記サブピクセルの予め決められたサブセットに適用される請求項６に記載のタイル状フラットパネルＬＣＤ。
【請求項９】
前記ピクセルの前記予め決められたサブセットは、実質的に同一の光出力特性を有するピクセルを含む請求項８に記載のタイル状フラットパネルＬＣＤ。
【請求項１０】
前記光出力特性は、少なくとも部分的に実効透過率−電圧（Ｔ−Ｖ）曲線によって規定されている請求項９に記載のタイル状フラットパネルＬＣＤ。
【請求項１１】
前記サブピクセル励起信号を選択的に変更する前記手段は、前記ピクセルの予め決められたサブセットにおける輝度と色度の偏差を、予め決められた閾値よりも低い値に低減させるようになっている請求項８に記載のタイル状フラットパネルＬＣＤ。
【請求項１２】
前記ピクセルの前記予め決められたサブセットは、前記タイルの間の前記継ぎ目の付近のエッジ領域内のピクセルを含む請求項１１に記載のタイル状フラットパネルＬＣＤ。
【請求項１３】
前記エッジ効果に応答して前記サブピクセル励起信号を選択的に変更する前記手段は、急激な偏差を予め決められた閾値よりも低い穏やかな偏差に低減させるように、前記サブピクセル励起信号を平滑化する手段を含む請求項６に記載のタイル状フラットパネルＬＣＤ。
【請求項１４】
前記継ぎ目の付近の輝度と色度において達成された変更は、前記ＬＣＤに対する予め決められた位置においてかつ予め決められた周囲光条件の下で目視者にとって前記継ぎ目を視覚的に知覚不可能にする請求項１３に記載のタイル状フラットパネルＬＣＤ。
【請求項１５】
タイル状フラットパネル液晶ディスプレイ（ＬＣＤ）における継ぎ目付近のエッジ効果によって引き起こされる輝度と色度の偏差を補正する方法であって、
互いの間に継ぎ目を有する形で互いに隣接して配置されている少なくとも２つのＬＣＤタイルであって、前記タイルの各々は前記継ぎ目の付近のエッジと、複数のピクセルが配列されている内側領域とを有し、前記ピクセルの各々は、それぞれのピクセル励起信号によって励起される時に、透過光を変更させるようになっている少なくとも２つのＬＣＤタイルを提供する段階と、
前記ＬＣＤタイル内の少なくとも１つのピクセル領域であって、該ピクセル領域内の各ピクセルが類似の実効透過率−電圧（Ｔ−Ｖ）曲線を有するような少なくとも１つのピクセル領域をマッピングする段階と、
前記実効透過率−電圧（Ｔ−Ｖ）曲線の１つを予め決められた基準実効透過率−電圧（Ｔ−Ｖ）曲線に切換えるために、前記マッピングされた前記ピクセル領域に関する変換関数を求める段階と、
前記ピクセル領域内の前記各ピクセルが前記予め決められた基準実効透過率−電圧（Ｔ−Ｖ）曲線を示すように、前記ピクセル励起信号に前記変換関数の逆関数を適用する段階と、
を含む方法。
【請求項１６】
前記ピクセルはサブピクセルを含み、前記マッピング段階は、類似の実効透過率−電圧（Ｔ−Ｖ）曲線を各サブピクセルが有するようなサブピクセル領域をマッピングすることを含み、前記ピクセル励起信号がサブピクセル励起信号を含み、前記変換関数の逆関数を適用する段階は、前記サブピクセル励起信号に前記変換関数の逆関数を適用することを含む請求項１５に記載のタイル状フラットパネルＬＣＤにおける輝度と色度の偏差を補正する方法。
【請求項１７】
前記変換関数の逆関数を適用する段階は、前記逆関数をルックアップテーブルとして適用することを含む請求項１６に記載のタイル状フラットパネルＬＣＤにおける輝度と色度の偏差を補正する方法。
【請求項１８】
前記変換関数の逆関数は区分化した補間を含む請求項１６に記載のタイル状フラットパネルＬＣＤにおける輝度と色度の偏差を補正する方法。
【請求項１９】
前記変換関数の逆関数は、定数、勾配、高次多項式の補間関数、または、スプライン関数の少なくとも１つに基づいた数学的補間方法を使用して構成されている請求項１６に記載のタイル状フラットパネルＬＣＤにおける輝度と色度の偏差を補正する方法。
【請求項２０】
前記ルックアップテーブルは勾配データとオフセットデータのうちの少なくとも１つを含む請求項１７に記載のタイル状フラットパネルＬＣＤにおける輝度と色度の偏差を補正する方法。
【請求項２１】
前記マッピング段階は等高線マップを作成することを含む請求項１８に記載のタイル状フラットパネルＬＣＤにおける輝度と色度の偏差を補正する方法。
【請求項２２】
前記等高線マップは、実質的に同一な実効透過率−電圧（Ｔ−Ｖ）曲線を各サブピクセルが有するサブピクセル領域を表す請求項２１に記載のタイル状フラットパネルＬＣＤにおける輝度と色度の偏差を補正する方法。
【請求項２３】
前記マッピング段階は、
ＬＣＤタイル内の複数の位置で前記エッジ効果を測定する副次的段階と、
前記測定されたエッジ効果の代表値に対する実効透過率−電圧（Ｔ−Ｖ）曲線を求める副次的段階と、
を含む請求項２２に記載のタイル状フラットパネルＬＣＤにおける輝度と色度の偏差を補正する方法。
【請求項２４】
前記変換関数を求める段階は、マッピングされた領域におけるサブピクセルに関する変換関数を求めることを含む請求項２２に記載のタイル状フラットパネルＬＣＤにおける輝度と色度の偏差を補正する方法。
【請求項２５】
前記変換関数を、前記サブピクセルの前記原色に応じて前記サブピクセルに選択的に適用する請求項２４に記載のタイル状フラットパネルＬＣＤにおける輝度と色度の偏差を補正する方法。
【請求項２６】
タイル状フラットパネル液晶ディスプレイ（ＬＣＤ）のタイルエッジの付近における光学的収差を原因とする輝度と色度の偏差を補正する方法であって、
ＬＣＤタイルのエッジの付近の、関連した実効透過率−電圧（Ｔ−Ｖ）曲線を有するサブピクセルに影響を与える光学的収差を識別する段階と、
前記実効透過率−電圧（Ｔ−Ｖ）曲線の１つを予め決められた基準実効透過率−電圧（Ｔ−Ｖ）曲線に切換えるために、前記影響を受けたサブピクセルに関する変換関数を求める段階と、
前記影響を受けたサブピクセルに前記変換関数の逆関数を適用する段階と、
を含む方法。
【請求項２７】
前記変換関数の逆関数を適用する段階は、前記逆関数をルックアップテーブルとして適用することを含む請求項２６に記載のタイル状フラットパネルＬＣＤにおける輝度と色度の偏差を補正する方法。
【請求項２８】
前記ルックアップテーブルは勾配データとオフセットデータのうちの少なくとも１つを含む請求項２７に記載のタイル状フラットパネルＬＣＤにおける輝度と色度の偏差を補正する方法。
【請求項２９】
等高線マップを作成する段階をさらに含む請求項２８に記載のタイル状フラットパネルＬＣＤにおける輝度と色度の偏差を補正する方法。
【請求項３０】
前記等高線マップは、実質的に同一な実効透過率−電圧（Ｔ−Ｖ）曲線を各サブピクセルが有するサブピクセル領域を表す請求項２９に記載のタイル状フラットパネルＬＣＤにおける輝度と色度の偏差を補正する方法。
【請求項３１】
前記等高線マッピングを作成する段階は、
前記ＬＣＤタイル内の複数の位置において光学収差によって生じさせられる色度と輝度の少なくとも一方の偏差を測定する副次的段階と、
前記複数の位置におけるサブピクセルの代表値に対する実効透過率−電圧（Ｔ−Ｖ）曲線を求める副次的段階と、
を含む請求項３０に記載のタイル状フラットパネルＬＣＤにおける輝度と色度の偏差を補正する方法。
【請求項３２】
前記ピクセルは、予め決められた原色をそれぞれが透過するサブピクセルを含む請求項３０に記載のタイル状フラットパネルＬＣＤにおける輝度と色度の偏差を補正する方法。
【請求項３３】
前記変換関数を求める段階は、前記サブピクセルの前記原色に依存したマッピングされた領域におけるサブピクセルに関する変換関数を求めることを含む請求項３２に記載のタイル状フラットパネルＬＣＤにおける輝度と色度の偏差を補正する方法。
【請求項３４】
前記変換関数を、前記サブピクセルの前記原色に応じて前記サブピクセルに選択的に適用する請求項３３に記載のタイル状フラットパネルＬＣＤにおける輝度と色度の偏差を補正する方法。
【請求項３５】
実質的に均一な輝度と色度を有しかつ視覚的に知覚不可能な継ぎ目を有するタイル状フラットパネル液晶ディスプレイ（ＬＣＤ）を作る方法であって、
互いの間に継ぎ目を有する複数の個別ＬＣＤタイルであって、前記タイルの各々はピクセルのアレイを含み、前記ピクセルの各々はサブピクセルを含み、かつ、前記サブピクセルの各々は、実効透過率−電圧（Ｔ−Ｖ）曲線をそれぞれに有する液晶セルを含む、複数の個別ＬＣＤタイルを配置する段階と、
前記サブピクセルにサブピクセル励起信号を与えるドライバ手段を設ける段階であって、前記ドライバ手段は複数のドライバチップを含み、前記の複数のドライバチップが予め決められた前記サブピクセルのグループにそれぞれ作動的に接続されている段階と、
前記サブピクセル各々とそれに関連した前記ドライバチップとの実効透過率−電圧（Ｔ−Ｖ）曲線を予め決められた仕方で変更する段階と、
前記個別ＬＣＤタイルの内側領域に配置されているサブピクセルの輝度と色度を予め決められたレベルに調整する段階と、
前記継ぎ目の付近のサブピクセルの輝度と色度を前記予め決められたグレースケール励起レベルに調整する段階と、
を含む方法。
【請求項３６】
前記変更する段階は、重み付けされた応答を線形化する操作と生成する操作からの少なくとも１つを含む請求項３５に記載のタイル状フラットパネルＬＣＤを作る方法。
【請求項３７】
前記継ぎ目の付近のサブピクセルの輝度と色度を前記予め決められたグレースケール励起レベルに調整する段階はブレンディングを含む請求項３５に記載のタイル状フラットパネルＬＣＤを作る方法。
【請求項３８】
前記予め決められたレベルは、外部で選択された基準レベルを含む請求項３５に記載のタイル状フラットパネルＬＣＤを作る方法。
【請求項３９】
前記予め決められたレベルは、前記複数の個別ＬＣＤタイルの少なくとも１つのタイルの少なくとも１つの動作パラメータに依存した相対レベルを含む請求項３５に記載のタイル状フラットパネルＬＣＤを作る方法。
【請求項４０】
前記予め決められたレベルは、前記複数の個別ＬＣＤタイルの１つのタイルに各々が関連付けられている複数の予め決められたレベルを含む請求項３７に記載のタイル状フラットパネルＬＣＤを作る方法。
【請求項４１】
前記ブレンディング処理は、前記複数の個別ＬＣＤタイルのどれか２つのタイルの間で予め決められた知覚的閾値よりも低い輝度偏差と色度偏差を結果的にもたらす請求項４０に記載のタイル状フラットパネルＬＣＤを作る方法。
【請求項４２】
前記ドライバチップはディジタル−アナログ変換器（ＤＡＣ）を含み、前記変更する段階は、前記液晶セルに関連付けられている前記実効透過率−電圧（Ｔ−Ｖ）曲線が実質的に線形になるように前記液晶セルの応答曲線の逆応答関数を提供するために、前記ドライバチップの非線形の応答曲線の予め決められた点にＤＡＣ電圧値を設定することを含む請求項３５に記載のタイル状フラットパネルＬＣＤを作る方法。
【請求項４３】
実質的に均一な輝度と色度を有しかつ視覚的に知覚不可能な継ぎ目を有するタイル状フラットパネル液晶ディスプレイ（ＬＣＤ）を作る方法であって、
互いの間に継ぎ目を有する複数の個別ＬＣＤタイルであって、前記タイルの各々はピクセルのアレイを有し、かつ、前記ピクセルは、サブピクセル励起信号の印加によって予め決められた原色を透過するためのサブピクセルを含む、複数の個別ＬＣＤタイルを配置する段階と、
前記個別ＬＣＤタイルの内側領域に位置した前記サブピクセルの輝度と色度を第１の予め決められたレベルに調整する段階と、
前記継ぎ目の交差部分の付近に位置した前記サブピクセルの輝度と色度を調整する段階と、
前記個別ＬＣＤタイルの間の前記継ぎ目の付近に位置した前記サブピクセルの輝度と色度を第２の予め決められたレベルに調整する段階と、
前記内側領域と前記継ぎ目の間の輝度と色度の差を予め決められた知覚的閾値よりも低く低減させるように、前記第１の予め決められたレベルと前記第２の予め決められたレベルとをブレンドする段階と、
を含む方法。
【発明の詳細な説明】
【０００１】
〔発明の分野〕
本発明は、タイル状（ｔｉｌｅｄ）液晶（ＬＣ）フラットパネルディスプレイにおける輝度および色彩の偏差を補正することに関し、さらに特に、光学的な不規則性、電気光学的な収差、電子駆動効果における偏差、周囲光における偏差、ＬＣセルギャップの差、機械的な偏差、または、材料における偏差を原因とする、タイルエッジ付近でのこうした変化、すなわち「エッジ効果」を補正するための補償手段に関する。
【０００２】
〔発明の背景〕
公知の液晶ディスプレイ（ＬＣＤ）技術によって作られるフラットパネルディスプレイは、サイズに制限があると共に、製造コストが高い。原理的には、安価でかつより大きいサイズのディスプレイを、より小さなサイズのディスプレイ「タイル」を組み合わせることによって作ることが可能であるが、しかし、この結果得られるより大きなサイズのディスプレイはタイル相互間の継ぎ目が明らかに見えることが一般的である。不規則性がパターン状に並べられている限り人間の眼はこうした微細な不規則性を感知することが可能なので、こうした組合せによって形成された大きなディスプレイが連続した一体ユニットに見えるように、タイル間の継ぎ目を隠すことは非常に難しい。
【０００３】
タイル状ディスプレイを作る方法の１つが、互いに隣接するタイルの間の継ぎ目に沿って接着性シール材を使用して、共通の中心線において４つのタイルを互いに連結することである。これらのタイルは平面状に組み合わされる。このタイプの構造は、本明細書に引例として組み入れてある標題「タイル状フラットパネルディスプレイの組立とシーリング（Ｃｏｎｓｔｒｕｃｔｉｏｎ  ａｎｄ  Ｓｅａｌｉｎｇ  ｏｆ  Ｔｉｌｅｄ，Ｆｌａｔ−Ｐａｎｅｌ  Ｄｉｓｐｌａｙｓ）」の同時係属中の米国特許出願番号０８／６５２，０３２号（１９９６年５月２１日付出願）に示されている。この組立方法は、共通の基準プレート、すなわち、一般にはカバープレートまたはバックプレートの整合マークに一致させる形で、各タイル上に配された適切な位置合わせマークに配置することによって、ＬＣＤタイルを平面状に組み合わせることにある。こうした位置合わせには、特定の重ね合わせ許容誤差が必要とされる。光学用接着剤を使用してタイルをカバープレートおよびバックプレートに貼り付ける。組合せの前に、互いに隣接するタイルエッジを、最終的な組合せ状態ではタイルエッジが継ぎ目のない外観を呈するように仕上げておく。さらに、カバープレートおよび／またはバックプレートは、継ぎ目を「隠す」ために使用される不透明マスクを含んでもよい。このバックマスクは光平行化手段として機能することも可能である。
【０００４】
液晶ディスプレイタイルを、１つの例外を除いて、モノリシックＬＣＤと同じ仕方で作ってもよい。すなわち、継ぎ目を横切るピクセルピッチがタイル上のピクセルピッチとほぼ同じであるように、タイル間の継ぎ目における内側タイルエッジが、一般的に内側シールエッジから１つのピクセルピッチ分の範囲内にほぼ位置したピクセルを持たなければならない。さらに、タイルエッジは、ピクセル開口に対するシール材料の位置を調整しかつセルギャップを均一に保つことに役立つ設計特徴を有することが一般的である。こうした論点が、同時係属中の特許出願番号０８／９４９，３５７号（１９９７年１０月１４日付出願）と同出願番号０９／３６８，９２１号（１９９９年８月６日付出願）に説明されている。
【０００５】
モノリシックＬＣＤでは、ＬＣタイルを構成する２枚のガラス板が小さな透明ボールによって互いに間隔を空けられており、一方、シール接着剤の厚さが、一般的に、そのシール接着剤中に埋め込まれるスペーサボールまたはスペーサ円柱によって決まる。したがって、タイルエッジの付近におけるＬＣ層の厚さには本来的に幾らかの差が存在することになる。ＬＣセルギャップにおけるこの差が、タイル状フラットパネルＬＣディスプレイの継ぎ目付近でのピクセルの目立った変色の原因となる。モノリシックＬＣＤではピクセルがピクセルアレイの完全に外側に位置したシールの直ぐ近くに配置されることがないので、こうしたアーティファクト（Ａｒｔｉｆａｃｔ）はモノリシックＬＣＤ上では目に付かないことが普通である。
【０００６】
カラーＬＣＤにおける一つのピクセルは、通常は、一般に赤と緑と青（ＲＧＢ）の各原色のためのサブピクセルを含むアパーチャ開口から形成されている。ＬＣセルギャップ厚さに差がある時には、ＬＣセルを通過する光が被る光学的遅延の量に空間的な差があるので、光の様々な波長が互いに異なる視覚効果を生じさせる。この現象は、継ぎ目のない外観を呈することが必要とされるタイル状フラットパネル液晶ディスプレイの製造において生じる問題を悪化させる。
【０００７】
現在製造されている液晶ディスプレイモジュールのほとんどは、ディジタル的に制御される装置である。光の透過率と駆動電圧の間の関係（Ｔ−Ｖ曲線）すなわち「ガンマカーブ（ｇａｍｍａ  ｃｕｒｖｅ）」  が、入力におけるディジタル信号値を、液晶セルの両端間の電圧に関係付け、したがってディスプレイ上の各サブピクセルの輝度に関係付ける。特に明記しない限り、本明細書では、Ｔ−Ｖ曲線は、結果として得られる輝度に対する電子駆動信号からの全ディスプレイシステム応答を含む実効的関係であると見なされる。例えばＮＴＳＣ方式のＲＧＢシステムのような幾つかのカラー方式では、線形の実効的関係が望ましい。他のカラー方式では、例えば目視者の精神生理学的な期待に合致するように、より一般的な重み付け応答曲線が好ましい。色彩は、サブピクセルアパーチャの頂部上でカラーフィルタ層を重ねることによって生じる。一般的には、加法混色によって所望の全色彩領域内の全ての色相を生じさせる原色を発生させるために、３つの別々のカラーフィルタを使用する。タイル状液晶ディスプレイでは、継ぎ目付近の小さなセルギャップの差またはタイル間が、実効的Ｔ−Ｖ曲線における変化を生じさせる。したがって、タイル状液晶ディスプレイは、実際の継ぎ目を幾何学的に隠蔽しようとするあらゆる努力にも係わらず、好ましくない「タイル状の」外観を呈することになる。継ぎ目またはタイル境界の付近のピクセル区域の実効Ｔ−Ｖ曲線は、タイルの内側のピクセルの実効Ｔ−Ｖ曲線とは異なるので、こうしたピクセル区域は不可避的に肉眼に目に付くようになる。
【０００８】
さらに、マトリックスでアドレス指定されるタイル状ディスプレイにおける内側継ぎ目の付近のピクセルの行と列は、その継ぎ目から離れている内側ピクセルに比較して幾分か異なった電気光学的応答を示す。例えば、４つのタイルを有するディスプレイでは、これらのピクセルは、タイル状ディスプレイの中央部を通る継ぎ目の周囲に、視覚的な邪魔になる垂直および／または水平の帯を形成する。特に、こうしたタイル状ディスプレイは白黒領域内では継ぎ目なしに見えるが、白と黒の間のグレースケール領域内では極めて目に付く継ぎ目を有することが普通である。一般的に各原色毎に２５６のグレースケールがあるので、特に、継ぎ目から生じる規則的なパターンを発見する人間の肉眼の能力と組み合わされる場合には、継ぎ目が目に見える機会が極めて多い。
【０００９】
タイル状ディスプレイにおける色彩の偏差を引き起こす別の仕組みは、光学的スタック内の物体の重ね合せ不良を原因とする。各タイル上のカラーフィルタ層が、薄膜トランジスタ層に対して不整合となることがある。さらに、カバープレートおよびバックプレート上の外側マスクが、光学スタック内の位置合わせマークに対して重ね合せ不良になることがある。さらに、カラーフィルタ層と薄膜層とに対する各タイルの横方向および高さ方向の位置決めが、位置合わせ上の許容誤差を含む。したがって、各タイルのエッジは、タイル状ＬＣディスプレイの光学的スタックを通過する部分的に平行化された光ビームに対して、互いにわずかに異なった応答を示すことになる。
【００１０】
さらに、内側継ぎ目付近のピクセルにおけるＬＣ領域は、異なった電気光学的特性を有することが知られている。これは、例えば、シール接着剤からＬＣ材料の中に滲出する溶剤に起因することがある。さらに、隣接するピクセルが存在しないことと、したがって隣接ピクセルから生じる縁取り電界が存在しないこととが、エッジピクセルにおいて電気光学的特性上の互いに異なった特徴が生じる原因となる。
【００１１】
各タイル間の継ぎ目領域は、一般に、継ぎ目から離れているピクセル上には存在しない余分な異常迷光を生じさせる。異常迷光は、バックライトまたは周囲光により生じる可能性があり、または、ディスプレイの光学的スタック内で発生させられる可能性もある。これらの効果は、不連続なタイル状ＬＣＤ構造、または、タイル状ディスプレイの製造または組立における欠陥から生じる。例えば、タイルエッジの不規則的な表面仕上げまたは表面下の微細な亀裂を原因として鏡面反射と拡散反射とが生じることがある。接着剤中の気泡、材料の欠陥、または、タイルガラスエッジの欠損も、タイルエッジ付近のピクセルから余分な光が生じる原因となる可能性がある。タイルまたはアセンブリのひびも、継ぎ目領域付近のピクセルを通過する光の多少の偏光解消を引き起こし、したがって、こうしたエッジピクセルが異常に明るく見える一因となり、さらには、タイルエッジにおける別の光学的な不規則性の一因ともなる傾向がある。アパーチャ、カラーフィルタ層、または、薄膜層の不整合の差異が、継ぎ目における迷光の様々な発生源を生じさせる。ガラス表面に対して平行な横方向（Ｘ、Ｙ方向）または接着剤層によって決められる垂直方向における重ね合せ不良が、さらに別の迷光の発生源を生じさせる。ディスプレイが低輝度の（すなわち、黒のレベルに近い）画像を表示しかつディスプレイに当たる周囲光が非常に強い時には、周囲光を原因とする継ぎ目における異常光が極めて顕著である。
【００１２】
さらに、継ぎ目と同様の「人工的」境界線が、ＬＣディスプレイを駆動するために使用される電子回路によって発生させられる可能性がある。こうした人工的境界線は、「デュアルスキャン（ｄｕａｌ  ｓｃａｎ）」ノートブック形パーソナルコンピュータディスプレイにおいて見られることがある一般的な光学的なアーティファクトである。例えば、４つのタイルから構成される２ｘ２タイルアレイの場合に、タイルエッジにおいて光学的なアーティファクトを示すことがある境界線が、「クワッドスキャン（ｑｕａｄ  ｓｃａｎ）」制御電子回路とＬＣパネル駆動回路とによって生じる可能性がある。こうしたクワッドスキャン駆動回路では、ディスプレイの各四半分の横列（ゲート）ラインと縦列（データ）ラインとが、順次走査を使用して個別に駆動される。こうした電子回路の電圧、タイミング、または、他の要素が正確に整合しない時には、人工的な電子「継ぎ目」が生じさせられる可能性がある。もちろん、こうした電子「継ぎ目」は、「物理的」継ぎ目を持たないモノリシックＬＣＤ上でも発生する可能性がある。
【００１３】
タイル状電子カラーディスプレイ上の画像に対して行われるあらゆる補正は、人間の視覚系の輝度差および色差の識別閾値に基づいている。異なった識別閾値の基準が、輝度および色度の急激な変化と漸進的な変化とに適用される。こうした識別閾値は、現時点では米国特許第５，６６１，５３１号として発行されている１９９７年８月２６日付で出願された米国特許出願番号０８／５９３，７５９と、本出願人の同時係属中の米国特許出願番号０８／６４９，２４０（１９９６年５月１４日付出願）と同０８／７８０，９１１（１９９７年１月９日付出願）と同０９／１７３，４６８（１９９９年６月３０日付出願）とに説明されており、これら全ての内容は本明細書に引例として組み入れてある。
【００１４】
本発明は、垂直方向または水平方向における、タイル間の継ぎ目におけるタイルエッジ付近の、不要な光学的収差、電気光学的収差、周囲光における収差、および、電子的な不規則性を補正する補償手段を提供する。補正手段は、ディスプレイのタイルの輝度と色度が継ぎ目全体にわたって実質的に均一に見えるように適用される。
【００１５】
本発明の目的は、ＬＣセルギャップにおける差の影響を補正する補償手段を提供することである。タイルエッジにおけるセルギャップがタイルの内側のセルギャップと一致することは希であり、このために目立つ継ぎ目を生じさせることになる。補正手段を、ディスプレイの輝度と色度が継ぎ目を挟んで視覚的に連続して見えるように適用する。
【００１６】
本発明の別の目的は、タイル状ＬＣディスプレイにおけるセルギャップの差を原因とする不規則性を含む、タイル状ＬＣディスプレイにおける他のあらゆる光学的な不規則性、電気光学的な不規則性、機械的な不規則性、または、構造関連の不規則性によって引き起こされる効果を補正して、継ぎ目が目に見えないようにする補償手段を提供することである。継ぎ目における色度と輝度の偏差を、残留偏差が視覚的にはほぼ均一になるように多数のピクセル全体において補正または、平滑化する。こうして輝度と色度の偏差が抑制され、継ぎ目は目に見えなくなる。
【００１７】
本発明のさらに別の目的は、タイル状ディスプレイまたはモノリシックディスプレイで生じる、電子走査の分割と制御回路の分割と駆動回路の分割に起因する人工の境界線（継ぎ目）によって生じさせられる光学的収差を補正することである。
本発明のさらに別の目的は、ディスプレイが均一な光強度または輝度を有して見えるようにタイルの内側全体のピクセル全ての輝度を電子的に補正することである。こうした補正は各ディスプレイアセンブリ毎に行われ、ディスプレイ毎に特異的である。
〔発明の概要〕
本発明によって、タイル状フラットパネルディスプレイのタイルエッジにおける視覚的な不均一性を、継ぎ目のない外観を生じさせるように補正する補償手段が提供される。こうしたディスプレイは、光学用接着剤を使用して連続した偏光子の間を接着した複数のタイルから構成される。このディスプレイは、アパーチャマスクを含むカバープレートと、スクリーンと、別のアパーチャマスクを含むバックプレートとを有してもよい。タイルエッジの不均一性は、ＬＣセルギャップの差と、継ぎ目に関連した他の光学的な不規則性、電気光学的な不規則性、周囲光における不規則性、電子的な不規則性、機械的な不規則性、および、材料における不規則性とを原因とする不均一性を含む。これらの不規則性に関する知識が、各タイルのエッジの付近における輝度と色彩の不均衡を補正するためのアルゴリズムを開発するために使用される。こうしたアルゴリズムは、継ぎ目の直ぐ近くのサブピクセルとタイル内側領域内に位置したサブピクセルとに対する駆動信号を変化させる。補正データメモリから事前に取得したデータと組み合わされる電子ビデオ処理が、タイル状フラットパネルＬＣディスプレイのタイル継ぎ目の直ぐ近くのピクセルとタイル内側領域内に位置したピクセルとに関する補正アルゴリズムを実現するために使用される。この結果として行われる絶対的な補正、相対的な補正、または、平滑化補正は、タイル毎に特異的であり、おそらくは各エッジピクセル毎にも特異的である。
【００１８】
本発明の完全な理解が、次の添付図面を参照して下記の本発明の詳細な説明を検討することによって得られるだろう。
説明の理解を容易にしかつ説明を簡潔にするために、同じ要素と構成部品が、全ての図において同じ名称と番号を有する。
〔好ましい実施例の説明〕
一般的に述べると、本発明は、タイル状フラットパネルＬＣディスプレイにおけるセルギャップの差を原因とすることを含みタイル間の継ぎ目の付近の光学的な不規則性と電気光学的な不規則性と電子的な不規則性と機械的な不規則性と材料上の不規則性とを補償すなわち補正する電子制御手段および方法を特徴とする。さらに、本発明は、タイル状フラットパネルＬＣディスプレイにおいて、互いに隣接したタイルの間の継ぎ目の付近で観察されることが一般的である変色を補正するための手段および方法を特徴とする。さらに、本発明は、タイル状フラットパネルＬＣディスプレイにおけるタイル間の継ぎ目を原因とする輝度の偏差を補正するための手段および方法を提供する。ピクセルの絶対的または相対的輝度を整合させることによって、または、空間的な輝度の差異を平滑化することによって、補正を行う。
【００１９】
さて、図１ａを参照すると、この図にはカラーＬＣディスプレイ１０の平面図が示してある。ディスプレイ１０は、ＬＣセル１２（図２）を各々が有し、継ぎ目１１０によって互いに隔てられている複数のタイル１１と、２つの通常の外部偏光子（図示していない）とから成る。単なる一例として、４つのタイルで構成されているタイルアレイが示してある。他のタイル配列構成も同様に本発明の範囲に含まれる。パターン形成されたカラーフィルタ層１６が、３原色を発生させるためにピクセル窓２０の作用領域１８内に配置され位置合わせされている。これらのカラーサブピクセル２２はそれぞれ別個に作動させられる。通常はカラーフィルタ１６は赤、緑、青（すなわち，ＲＧＢ）であるように選択される。さらに、図１ｂは、ディスプレイ１０で使用されるタイル１１の平面図を示す。液晶のシールはタイルの外側エッジ２４１に沿っては広幅（太い線）であり、かつ、内側エッジ２４２に沿っては狭幅（細い線）である。タイルの内側エッジ２４２は互いに隣接して配置され、図１ａに示す通りの継ぎ目１１０を形成する。
【００２０】
図２は、組合せタイル状ディスプレイ１０（図１）で使用されるＬＣタイル１１の一部分の断面図である。重要な詳細部分を全て図示するために垂直寸法と水平寸法を別々の縮尺で描いてある。この図は、ＬＣセル１２の組立に通常使用されるシール２６とシール２６内のスペーサボール２８とを示す。ＬＣセル１２を形成する２つのガラスプレート３０、３２が、正確なセルギャップ３３を維持し、または、画像表示区域内に位置したスペーサボール２８ａのサイズによって決定された２つのプレート３０、３２の内側表面の間の隙間を維持するように、圧力をかけてそれぞれの外周で互いに接合されている。内側シールエッジ３４の付近のセルギャップ３３は、シール接着剤３６内に分散したスペーサボールまたはスペーサ棒３５と、タイル接着プロセスで使用される圧力パラメータと温度パラメータと時間パラメータとによって決定される。一般的に、外側シールエッジにおいても同様のセルギャップの差が生じるが、こうした外側シールの直ぐ近くにはピクセルが配置されていないので、このセルギャップの差は視覚上の障害となるアーティファクトを一般的には発生させない。ピクセルアレイの外側のタイルの構造と形状はセルギャップに大きな影響を与え、したがってセルギャップの差も生じさせる可能性がある。使用可能な設計の事例が、同時係属中の米国特許出願番号０９／３８６，９２１（１９９９年８月６日付出願）に説明されている。
【００２１】
セルギャップを最適化しようとする努力にも係わらず、構造および処理加工上の変量のために、各タイル１１内において内側シールエッジ３４の付近にセルギャップ３３の差が不可避的に存在する。このセルギャップの差は各タイル１１内部では抑制されており均等な状態であるが、タイル毎には不連続である。さらに、タイル状ディスプレイの組立プロセス、特に光学用接着剤によるタイルのカバープレートとバックプレートへの取り付けは、同様にセルギャップ３３の差の原因となることがある。
【００２２】
一般的に、外側シールエッジにおいても同様のセルギャップ差が生じるが、こうした外側シールエッジの直ぐ近くにはピクセルが配置されていないので、このセルギャップの差は視覚上の障害となるアーティファクトを発生させない。公称セルギャップを１つまたは複数の設計仕様によって管理することが可能であることは、当業者には明らかだろう。
【００２３】
図３は、組み立てられたタイル状ディスプレイ１０のセルギャップ差の典型的なトポグラフ図（地形図）を示す。この例では、各々の等高線３８が、公称セルギャップ、すなわち、最新のＡＭＬＣＤの場合には典型的には約５μｍ、から約０．２５μｍのセルギャップ差を示す。島形成と比較的均一なエッジ効果とが典型的である。セルギャップの差は、内側シールの幅が狭いので、一般に内側シールにおいて最大である。
【００２４】
図４は、タイル状ＬＣアセンブリで使用される通常のタイルの場合の、機械設計技術の専門家にとって公知である機械力学上の板曲げ理論から計算される、狭幅のシール３４（図２）からタイルの中央部に向かってのセルギャップ３３の差のグラフを示している。水平軸上の長さ目盛りは、一般的にはおおよそ１ミリメートル以下であるピクセルピッチ単位で目盛られている。内側エッジ３４の付近の効果がタイル１１の内側までかなり深く入り込んでいるということに留意する必要がある。セルギャップ３３の差を原因とする輝度の変化が、サブピクセルの実効透過率−電圧（Ｔ−Ｖ）曲線に大きな影響を与える。内側シール３４付近の縮小したセルギャップ３３におけるＬＣは、公称セルギャップを有するピクセルよりも、中間範囲の輝度（黒と白の間のグレイスケール）に相当する駆動電圧信号の場合の電圧変化に対して応答性が高い。
【００２５】
図５は、内側シール３４からタイル１１の内側に向かっての、ＬＣタイル１１中を通過する光透過率の差（相対輝度）に関する、実験によって測定された最悪の場合のデータを示す。長さ目盛りはピクセルピッチ単位である。光透過率は、図３と図４に示すセルギャップ３３の差の結果として、内側シールの付近では変化している。
【００２６】
図６は、セルギャップ３３を関数とした赤色光４０と緑色光４２と青色光４４の場合における、予測上の相対的な光透過率を示す。この光透過率は、公称の事例（この例では５μｍのセルギャップ）に対して正規化してある。セルギャップと光の波長の両方がＬＣＤセルを通過する光の遅延に影響を与えるので、セルギャップ３３の変化に応じてカラーバランスが空間的に変化する。シール３４の付近のセルギャップがタイル１１の内側のセルギャップよりも小さい場合には、継ぎ目領域３４が、図６に明示されているように青みをおびた光を放出する（強調された青）。同様に、シール３４付近のセルギャップ３３がより大きい場合には、継ぎ目領域３４は茶色がかった光を放出する（強調された赤と緑）。
【００２７】
セルギャップがその公称値（この例では５μｍ）ではない場合には、光がこのセルギャップを通過する時に白色光のスペクトルが変化させられる。ディスプレイ１０から放出される光の所望のスペクトルは、３原色がディスプレイの白色点（すなわち、ＲＧＢカラーシステムにおける互いに等しい駆動信号値）に対してバランスが取れているスペクトルである。したがって、理想的には、セルギャップは、タイル上の全てのピクセル位置においてその公称値（この例では５μｍ）に正確に設定されていなければならない。しかし、実際には、適正なスペクトル出力を発生させるために、セルギャップが可能な限り均一であることが望ましい。本発明の開示内容なしでは、これを実現することは極めて困難である。
【００２８】
次に図７を参照すると、この図には、それぞれに６１２ｎｍ、５４２ｎｍ、４８７ｎｍの波長を有する赤色光４０、緑色光４２、青色光４２の場合の、ＬＣＤセルのサブピクセルの典型的なシミュレートされた正規化輝度をセルギャップ３３の光学的長さの関数としてプロットしてある。この光学的長さは、セルギャップと光の波長との比率によって求められた。
【００２９】
したがって、ピクセルの外観を特に継ぎ目においてより均一にするように、ピクセルの駆動信号を変化させることによって、互いにわずかに異なったＴ−Ｖ曲線と、継ぎ目付近の他の小さな光学的な不規則性、電気光学的な不規則性、周囲光における不規則性、電子的な不規則性、機械的な不規則性および材料上の不規則性とを有するピクセルとを補正することが望ましい。こうした補正を、公称設計で設定された絶対的な輝度値と色度値に整合させることによって、または、ディスプレイ上の（好ましくは各タイルの内側に位置した）１つまたは複数の基準領域の相対的な輝度値と色度値を整合させることによって、行うことが可能である。この結果として、継ぎ目付近のサブピクセルの絶対または相対輝度レベルが、タイルの内側のピクセルの公称設計または基準領域仕様の視覚的識別閾値の範囲内にあることになる。したがって、本発明では、各ピクセルに対する入力データが補正手順により新たなデータに置き換えられる。この新たなデータは、従来通りの仕方で液晶ディスプレイに電子的に接続されている市販の縦列（データ）ドライバチップに送られることになる。あらゆる補正データは、入力データの領域または入力コード値域に変換関数の逆関数を適用することによって、前もって計算される。補正データは、ディスプレイの各ピクセルまたはピクセルの各グループ毎に異なっていてもよく、したがって、各ピクセルの特性の相違に対応する。ルックアップテーブルがこうした補正アルゴリズムの実現可能な１つの実現方法である。残念なことに、こうした補正方式は、現在の最先端の電子回路を使用しても多数のピクセルに対して経済的に実現することが困難であり、複雑な設計をもたらすことになる。したがって、記憶しアクセスしなければならないデータの量と、表示動作中にビデオ信号補正のために行わなければならない計算の量とを著しく低減させる仕方で、サブピクセルの実効Ｔ−Ｖ曲線における偏差を記述することが必要である。
【００３０】
公称設計の代表値か、または、上述の理由からそれとは異なっているＡＭＬＣＤの場合の実効透過率−電圧（Ｔ−Ｖ）曲線すなわちガンマカーブが、連続関数であることが公知である。したがって、基準からはずれた実効Ｔ−Ｖ曲線と公称実効Ｔ−Ｖ曲線の間の差異は連続関数であるだけでなく、一般的に、データドライバの最下位ビットのスケールにおいてかなり平滑な関数である。図８に示されている、わずかな量だけ互いにずれてはいるがその他の点では同一の形状である２つの実効Ｔ−Ｖ曲線４８の間の差異は、これらの実効Ｔ−Ｖ曲線における差異の平滑性を示す。このずれは、各サブピクセルに関して白黒状態では一定に保つが白と黒の中間のグレースケールレベルに対しては著しく影響する実効Ｔ−Ｖ曲線の典型的なずれをシミュレートしている。原色全てに関する正規化された線形化輝度差を図９にさらに示し、この図では、赤色サブピクセル５０と緑色サブピクセル５２と青色サブピクセル５４とに対する８ビットの公称入力信号が個々のピクセルの各原色に関する出力輝度値を生じさせる。このグラフでは、これらの輝度値は、各グレースケールレベルと各サブピクセルにおいて、点線の対角線５６で示されている公称応答から相違している。さらに、図９の例では、公称Ｔ−Ｖ曲線に対する実効Ｔ−Ｖ曲線のずれが白黒領域の場合に消滅すると仮定しており、この仮定は、一般的にＬＣセルの基本動作メカニズムから妥当とみなすことができる。これは本発明の制限ではなく、むしろこの例だけの特性であるにすぎない。したがって、実効Ｔ−Ｖ曲線、または、２つの実効Ｔ−Ｖ曲線の間の差異は、関数の領域（または、入力コード範囲）を区分し、その次に、実時間で計算することが容易な単純な方式で各区画を記述することによって、記述または近似することが可能である。平滑性と公称値からの一般的に小さなずれとの故に、各区画を線形関数で記述することが可能である（区分化した線形近似）。この場合には、各区画を記述するために必要なのは、勾配とオフセットだけだろう。したがって、各区画に関する逆変換関数（補正）も線形関数であるだろう。数値数学の分野で公知である高次の多項式の補間関数またはスプライン関数が、こうした区画を記述するためのさらに別の方法を提供する。
【００３１】
個々のＬＣＤタイルが複数の連続材料シートで形成されているので、セルギャップや他の物理的属性の偏差が、ピクセルピッチ（通常は約１ｍｍ以下の大きさ）に比較して滑らかで連続した仕方で変化する。したがって、公称設計に比較した差異が人間の視覚には知覚できない変換関数を有するタイル上の小さなピクセル領域またはピクセルバンドをグループ化すると同様方法で、こうした偏差も、「等高線マッピング（ｃｏｎｔｏｕｒ  ｍａｐｐｉｎｇ）」またはその類似の手段を使用して記述することが可能である。この場合に、ピクセル領域内またはピクセルバンド内の全ピクセルに関する変換関数は、ピクセル領域全体またはピクセルバンド全体を表す変換関数の１つのコピーに相当する。この場合には、対応する逆変換関数は単純でも複雑であることもあり得る。しかし、ピクセルの数よりも著しく少ない数しか必要とされないので、こうした補正方式を、現実的な量の電子的ハードウェアを使用して実現することが可能である。
【００３２】
上述の理由から、公称設計の代表曲線または上述の理由からそれとは異なっているＡＭＬＣＤの場合の実効透過率−電圧（Ｔ−Ｖ）曲線は、互いに極めて類似した連続関数を有することが公知である。したがって、少数の基準Ｔ−Ｖ曲線を、例えば市販のＬＣＤドライバ集積回路チップのＴ−Ｖ曲線を定義するために行われるように包括的なルックアップテーブルを使用することによって、詳細に記述することが可能である。この少数の実効Ｔ−Ｖ曲線を、こうしたＴ−Ｖ曲線にラベルを付けて、その次にピクセルに対してラベルを照合するテーブルを作成することによって、はるかに多くのピクセルを記述するために使用することも可能である。各ピクセルの特性を測定し、その測定値を基準実効Ｔ−Ｖ曲線と比較し、最も似かよったＴ−Ｖ曲線のラベルを選択する。
【００３３】
図１０ａは、タイル１１の内側シール３４からタイルの内側に向かってのピクセル横列内のＲＧＢサブピクセルの相対輝度値を示す。均一なグレースケール組合せが原色サブピクセルに対する入力信号を定義する。内側シール３４は、この図ではピクセル横列６０の左に位置している。相対輝度値は、通常の２8ビット範囲すなわち０−２５５の範囲にすでに正規化されている。タイル１１の内側のＲＧＢ信号値７０／９９／６２はそれぞれに、この単純なグレースケールフィールドに関する公称駆動信号値に対応する。図１０ａのピクセルには補正は行われていない。補正を、２つの段階、すなわち、最初に色相を考慮し、次に輝度を考慮する形で行う。
【００３４】
目視者が変色に気づかないようにタイル２４全体にわたって「青」対「緑」と「赤」対「緑」の相対輝度の比率を維持することが望ましい（色相補正）。したがって、何らかの補正操作を行うためには、セルギャップ３３またはその差を直接的または間接的に測定しなければならない。色が補正された相対輝度値を図１０ｂに示し、この図では３原色の間の相対輝度比率がほぼ最下位ビットの精度に維持されている。カラーディスプレイにおける電子制御装置は、一般的に、３原色の各色に関して８ビットすなわち２５６レベルの「グレー」を可能にしている。この制御装置を使用して、シール３４の付近のサブピクセル６２において青色の相対輝度値を低下させる。この補正を、フレームバッファ（図示していない）に対して、ディスプレイ１０に与えられるフレームデータ上において行うべきである。この補正が、タイルエッジに関連した色相の偏差をディスプレイ１０全体にわたって除去する。
【００３５】
しかし、相対輝度値の合計がディスプレイ１０内の内側エッジからタイル内側に向かって変化するので、この補正は、均一なグレースケール駆動信号の場合にディスプレイを均一な輝度に復元しない可能性もある。図１０ｃは、いたるところで均一な輝度レベルを得るようにサブピクセル６４を補正し終わった後の、図１０ｂからのサブピクセル６４の全ての相対輝度値を示す。この補正は、入ってくる各フレームがディスプレイ１０のデータドライバ（通常は縦列ドライバ）に送られる前に、この各フレームに補正ビットマップ画像（図示していない）を加えることによって行はれる。この好ましい実施形態では、ピクセルデータ全てを、本発明の開示内容にしたがって変更する。ディスプレイ１０からのスペクトル出力がディスプレイのピクセルアレイ全体にわたって均一に所望の色相および輝度のスペクトル出力であるように、サブピクセルデータを調整する。別の実施形態では、本発明のデータ補正を選択的に適用することもできる。
【００３６】
次に図１１を参照すると、この図には、２４ビットカラーの場合の一般的な補正手順の実現方法をブロック図の形で示してある。他のカラー解像度の実現方法も同様であり、当業者には明らかである。入ってくるビデオデータ７０を最初に入力フレームバッファメモリ７２に一時的に記憶する。ピクセル補正制御ユニット８４の制御によってビデオデータを入力フレームバッファ７２から読み出し、補正データメモリ７４から補正データを読み出し、ピクセルデータ処理装置７６に送り込む。補正データメモリ７４は不揮発性メモリであってもよく、または、補助不揮発性メモリ内に記憶された値に初期化される揮発性メモリ、もしくは、不揮発性メモリ内に記憶された値から計算される値で初期化される揮発性メモリであってもよい。このことが、ディスプレイの電源が切断された時に補正データが失われないことを確実なものにする。その次に、１つまたは複数の処理ユニットを使用して電子ピクセルデータ処理を行うことによって、ピクセルビデオデータに対する適切な補正を行う。各サブピクセルにおける入力ビデオデータと補正されたビデオデータの両方が単一のｎビット整数（一般的には８ビット）で構成されているので、全てのピクセルデータ処理をｎビット精度で行うことだけで済む。ピクセルデータを補正し終えると、このピクセルデータはディスプレイ１０（図１ａ）に直接送られる。別の実施形態では、ピクセル補正制御ユニット８４をピクセルデータ処理ユニット７６と併合してもよい。さらに別の実施形態では、補正されたピクセルデータを、ディスプレイ１０に送る前に出力フレームバッファメモリ７８に集めてもよい。
【００３７】
サブピクセルデータ補正を様々な方法で行ってよい。一実施形態では、サブピクセルをその実効Ｔ−Ｖ曲線応答によってグループ分けし、その次に、前もって記憶された各グループに固有の応答関数を各グループに割り当てる。例えば、グループは、各タイル毎の内側領域サブピクセルのグループと、各タイルの内側エッジおよび外側エッジの各々のエッジピクセルのグループとを含んでもよい。グループの数が妥当である限りは、補正データメモリ内に記憶されなければならない応答関数のためのデータの量は許容可能である。別の実施形態では、ルックアップテーブルをサブピクセルのグループに割り当ててもよい。これらのテーブルは、単純なインデックス付け方式を使用したピクセルデータ補正値を含む。この場合も同様に、グループ数が妥当である限りは、補正データメモリ内に記憶されなければならないデータの量は許容可能である。
【００３８】
セグメントを使用する最も単純な区分化した定数補間手順では、単一の定数が適切なセグメント内のサブピクセルデータに加えられる必要があり、すなわち、
ｒ′（ｍ，ｎ）＝ｒ（ｍ，ｎ）＋Δｒ（ｍ，ｎ，ｉｒ）
ｇ′（ｍ，ｎ）＝ｇ（ｍ，ｎ）＋Δｇ（ｍ，ｎ，ｉｇ）
ｂ′（ｍ，ｎ）＝ｂ（ｍ，ｎ）＋Δｂ（ｍ，ｎ，ｉｂ）
であり、ここでセグメントインデックスｉｒ、ｉｇ、ｉｂが次式を満たすように選択され、
ｒ（ｍ，ｎ，ｉｒ）＜ｒ（ｍ，ｎ）＜ｒ（ｍ，ｎ，ｉｒ＋１）
ｇ（ｍ，ｎ，ｉｇ）＜ｇ（ｍ，ｎ）＜ｇ（ｍ，ｎ，ｉｇ＋１）
ｂ（ｍ，ｎ，ｉｇ）＜ｂ（ｍ，ｎ）＜ｂ（ｍ，ｎ，ｉｇ＋１）
かつ、１≦ｉｒ，ｉｇ，ｉｂ≦ｓである。ｒ（ｍ，ｎ）、ｇ（ｍ，ｎ）、ｂ（ｍ，ｎ）およびｒ′（ｍ，ｎ）、ｇ′（ｍ，ｎ）、ｂ′（ｍ，ｎ）は、それぞれに補正されていないサブピクセル応答と補正されたサブピクセル応答とを表す。Δｒ（ｍ，ｎ，ｉｒ）、Δｇ（ｍ，ｎ，ｉｇ）およびΔｂ（ｍ，ｎ，ｉｂ）は各サブピクセルおよびグレースケールセグメントにおける補正のための定数を表す。セグメントインデックスは１≦ｉｒ，ｉｇ，ｉｂ≦ｓによって制限されており、かつ、ピクセルインデックスは１≦ｍ，ｎ≦画面解像度によって制限されている。上述の（ｍ，ｎ）はアレイインデックスｍ、ｎを有するピクセルを表し、ｉｒ、ｉｇ、ｉｂはそれぞれに赤色サブピクセルと緑色サブピクセルと青色サブピクセルのセグメントインデックスをそれぞれに表す。上述の式が、サブピクセルに加えられる駆動信号または補正値の間の交さ項を全く含まないということに留意する。こうした交さ項が必要である場合には、実現方法に複雑さと補正データメモリのメモリ容量の増加という犠牲を払って、こうした交さ項を加えることが可能である。
【００３９】
これらの式を、全てのピクセル（ｍ，ｎ）、ピクセル領域、ピクセルのセット、または個々のピクセルに適用することが可能である。タイル状ディスプレイは一般には垂直方向の継ぎ目、水平方向の継ぎ目、または、垂直および水平方向の継ぎ目を有するので、継ぎ目の直ぐ近くのピクセルは直交ピクセルインデックスによって容易に識別され、すなわち、一方のインデックスが定数であり、他方のインデックスが継ぎ目の長さに沿って変化する。ピクセル処理装置におけるこうした式の実行には、単に８ビット加算器が必要であるにすぎない。必要とされる加算器の速度と数はビデオデータ転送速度とピクセル数とに依存する。ピクセル対ピクセルのデータ依存性がない場合には、制限なしに並列ピクセルデータ処理を使用することが可能である。サブピクセル補正値を平滑化することによって、あまり多くない量のデータ依存性になる。したがって、スループットを、ほぼ全ての場合において、ビデオデータ転送速度に適合させることが可能である。全ピクセルを補正しなければならない場合には、補正データを記憶するための合計記憶容量は、ディスプレイ全体に関してｍ＊ｎ＊３＊ｓの８ビット語である。例えば、（ｍ，ｎ）＝（８００ｘ６００）の解像度と８グレースケールセグメントとを有するＳＶＧＡディスプレイの場合には、これは、１１．５Ｍの８ビット語すなわち１１メガバイトとなる。継ぎ目の両側のｋ個の横列または縦列に対してだけ補正が加えられるタイル状ディスプレイの場合には、記憶容量はこの値の何分の一かに低減される。例えば、ｋ＝１０である２ｘ２タイルアレイの場合には、２＊ｋ＊（ｎ＋ｍ）＊３＊ｓ＝６７２キロバイトを記憶するだけでよい。
【００４０】
区分化した線形方式の場合にも、同様に、１つの減算と１つの乗算と２つの加算を適切なセグメント内においてサブピクセルデータに対して行うことになる。この場合には、式は次のように表される。
【００４１】
【数１】
0004603747.tif 000002
【００４２】
ここで、
ｒ（ｍ，ｎ，ｉｒ）＜ｒ（ｍ，ｎ）＜ｒ（ｍ，ｎ，ｉｒ＋１）
ｇ（ｍ，ｎ，ｉｇ）＜ｇ（ｍ，ｎ）＜ｇ（ｍ，ｎ，ｉｇ＋１）
ｂ（ｍ，ｎ，ｉｇ）＜ｂ（ｍ，ｎ）＜ｂ（ｍ，ｎ，ｉｇ＋１）
であり、かつ、１≦ｉｒ，ｉｇ，ｉｂ≦ｓである。Δｒ（ｍ，ｎ，ｉｒ）、Δｇ（ｍ，ｎ，ｉｇ）およびΔｂ（ｍ，ｎ，ｉｂ）は定数を表し、ｒｓ（ｍ，ｎ，ｉｒ）、ｇｓ（ｍ，ｎ，ｉｇ）およびｂｓ（ｍ，ｎ，ｉｂ）は区分化した線形補正値の勾配を表し、ｘｒ（ｍ，ｎ）、ｘｇ（ｍ，ｎ）、ｘｂ（ｍ，ｎ）は現在サブピクセルに対する入力信号を表し、ｘｒ（ｍ，ｎ，ｉｒ）、ｘｇ（ｍ，ｎ，ｉｇ）およびｘｂ（ｍ，ｎ，ｉｂ）は、現在グレースケールセグメントに関する入力信号と各サブピクセルおよびグレースケールセグメントとを表す。ピクセル処理装置におけるこれらの式の実行には、８ビット加算器と乗算器だけしか必要ではない。必要に応じて、この場合も同様に並列処理を使用することが可能である。必要とされる加算器と乗算器の速度と数は、ビデオデータ転送速度とピクセル数とに依存する。補正データを記憶するための合計メモリ容量は、全ピクセルを補正する場合には、ディスプレイ全体の場合にｍ＊ｎ＊３＊ｓの８ビット語である。例えば、（ｍ，ｎ）＝（８００ｘ６００）の解像度と８つのセグメントとを有するＳＶＧＡディスプレイの場合には、これは、２３Ｍの８ビット語すなわち２３メガバイトとなる。継ぎ目の両側のｋ個の横列または縦列に対してだけ補正が加えられるタイル状ディスプレイの場合には、メモリ容量はこの値の何分の一かに低減される。例えば、ｋ＝１０である２ｘ２タイルアレイの場合には、２＊ｋ＊（ｎ＋ｍ）＊３＊ｓ＊２＝１．３４メガバイトを記憶するだけでよい。
【００４３】
上述のように、上記の式は、サブピクセルに適用される駆動信号すなわち補正値の相互間の交さ項を全く含まない。こうした交さ項が必要である場合には、実行方法の複雑さと補正データメモリのメモリ容量の増加という犠牲を払って、こうした交さ項を加えることが可能である。８ビット算術演算を行うことによって、高次の区分化した補間手順を同様に行ってもよい。各々の新たなパラメータのために、補正データメモリのメモリ容量を追加することが必要である。メモリ容量の推定を、上述の式を拡張することによって簡単に行うことが可能である。
【００４４】
使用する具体的な補正アルゴリズムとは無関係に、補正データを取得しなければならない。この補正データの取得を、各セグメントにおける１つまたは複数のレベルに対してグレースケール励起を受けた各サブピクセルの輝度を測定することによって行うことが可能である。実際の測定を、個々のピクセル上で輝度計を使用して、または、アレイ全体またはピクセルアレイの大きな領域を並列に記録する電荷結合素子（ＣＣＤ）カメラのようなカメラを使用して、ディスプレイのピクセルアレイ全体を走査することによって行うことが可能である。前者の場合には、輝度検出器の受光角が、隣接するピクセルが測定対象ピクセルに対する記録輝度に影響を与えないように、十分に小さくなければならない。後者の場合には、好ましくはディスプレイピクセルとカメラ画像とが容易に対応するように、カメラをディスプレイピクセルアレイに対して慎重に位置合わせしなければならない。１対１の一致が好ましいが、他の配置も同様に使用可能である。使用する測定方法に係わらず、測定結果は、測定されたピクセルインデックス（ｍ，ｎ）とセグメントインデックス（ｉｒ，ｉｇ，ｉｂ）とグレースケールインデックス（ｕｒ，ｕｇ，ｕｂ）の各々に対する測定輝度値ｒｍ（ｍ，ｎ，ｉｒ，ｕｒ）、ｇｍ（ｍ，ｎ，ｉｇ，ｕｇ）およびｂｍ（ｍ，ｎ，ｉｂ，ｕｂ）のセットである。その次に、補正データを、補正対象の各ピクセル毎の測定データと公称データの間の差から計算することが可能である。例えば、区分化した定数補正手順の場合には、各々のサブピクセルおよびグレースケールセグメントに対する補正データは、次式によって与えられ、
【００４５】
【数２】
0004603747.tif 000003
【００４６】
ここで、ｒｎ（ｍ，ｎ，ｉｒ，ｕｒ）、ｇｎ（ｍ，ｎ，ｉｇ，ｕｇ）およびｂｎ（ｍ，ｎ，ｉｂ，ｕｂ）は、このサブピクセルおよびグレースケールセグメントに対する公称輝度値を表す。区分化した線形方法とより高次の他の方法とを含む他の補間方式にこの手順を拡張することは簡単であり、当業者に公知であるので、本明細書ではさらに具体的には説明しない。
【００４７】
場合によっては、測定した実効Ｔ−Ｖ曲線から補正データを求める代わりに、エッジ効果の物理的特徴を直接測定し、その次にこの情報から補正データを計算することが好ましいこともある。この一例として、公知の光学的手法を使用して測定することが可能な継ぎ目付近のセルギャップの変化を考察する。この場合には、位置の関数としてのセルギャップデータをＴ−Ｖ曲線補正データに変換することが可能である。
【００４８】
残る問題は、上述の補正を実現するように、サブピクセルに与えられる入力データを変更する方法を見い出すことである。これは、問題のサブピクセルの実効Ｔ−Ｖ曲線の逆関数によって簡単に得られる。所要の輝度補正とこれに対応する入力データビットの間の関係を、通常は白色であるＬＣＤに関して図１２にグラフとして示す。入力データ補正値ΔＳが、所要の正規化された輝度補正値ΔＬによって容易に直接得られる。数学的に見て、実効Ｔ−Ｖ曲線Ｌ（Ｓ）の解析的表現が利用可能である場合には、ΔＳを逆関数Ｌ-1からΔＳ＝Ｌ-1（Ｌ＋ΔＬ）−Ｌ-1（Ｌ）によって直ちに得ることが可能である。実効Ｔ−Ｖ曲線の数値表現（Ｓi，Ｌi）が既知である場合には、テーブル内におけるΔＬに対応する最も近いメッシュ点ＳkによってΔＳを求める。負の補正と正の補正の両方をこの仕方で特定することが可能であるが、その結果得られた補正された正規化サブピクセル輝度は間隔（０，１）内に含まれていなければならない。実効Ｔ−Ｖ曲線の最も敏感な急勾配領域内で適用されることが可能な最小の補正値（勾配の最大の大きさ）が、この補正手順の解像度を決定する。線形のＴ−Ｖ曲線とビットの均一な割り当ての場合には、最小の補正値が最下位ビットすなわち１：２nによって与えられる。非線形のＴ−Ｖ曲線の場合には、最小の補正値はビット数と実効Ｔ−Ｖ曲線の平坦な領域の長さとに依存し、一般的に１：２nとは相違している。補正手順の解像度を、データドライバ内でより高い解像度のディジタル−アナログ変換器（ＤＡＣ）を使うことによって、または、不均等な仕方で実効Ｔ−Ｖ曲線の急勾配領域に対してより多くのビットを割り当てることによって向上させることが可能である。さらに、補正手順の解像度を、時間領域ディザリングを使用することによって、すなわち、連続フレーム中に与えられる個々の補正信号を平均化して、時間領域平均における所望の補正値を生じさせることによって、向上させることも可能である。この手法は、必要とされる高電圧ドライバＩＣを所望の位置に形成することが困難であるフラットパネルプラズマディスプレイのカラー解像度を向上させるために使用されることが多い。
【００４９】
上述の補正手順は、ピクセル毎に大きく変化する補正値をもたらすことがある。さらに、こうした補正値は、測定ノイズによっても影響されることがある。人間の肉眼の検出閾値の範囲内の完全なグレースケールの均一性が各サブピクセル毎に得られなければ、視覚上の障害となる人工パターンが生じる可能性がある。信号処理技術を使用して高い空間周波数成分を取り除けば、こうしたパターンを取り除くことが可能である。この場合には、適切な２次元ビデオ信号フィルタリングアルゴリズムを使用して、測定されたピクセルまたはサブピクセル輝度データまたは補正されたデータをフィルタリングすることが有利である。ディジタル信号処理分野で公知である所望のアルゴリズムの例は、ウィンドウ処理、アナログフィルタリング、ディジタルフィルタリング、ローパスフィルタリング、帯域通過フィルタリング、高速フーリエ変換、および、ウェーブレット変換を含む。他のフィルタリングまたは平滑化方法も同様に使用可能である。
【００５０】
場合によっては、継ぎ目付近の絶対的または相対的な輝度および色相レベルの両方を均一に整合させようとすることが望ましくなく、むしろ、人間の視覚系の知覚的閾値レベルよりも低い値に急激な変化と急峻な勾配とを抑制するための平滑化方法またはブレンディング（ｂｌｅｎｄｉｎｇ）方法を使用することが望ましいことがあり得る。これを図１３に示してある。継ぎ目を挟んたグレースケールフィールドの輝度の線状走査を、４つの場合に関して描いてある。すなわち、（ａ）補正されていない表示１１０と、（ｂ）タイルの内側における相対輝度レベルに整合させるように補正された表示１１２と、（ｃ）輝度勾配の識別閾値が視覚検出閾値よりも低い状態のままであるように継ぎ目を挟んで平滑化された補正された表示１１４と、（ｄ）継ぎ目を挟んで絶対レベルを整合させるように補正された表示１１６との場合。これらの曲線は、その差異を明瞭に示すために、互いにずらしてある。平滑化を、２つの基本的に異なった方法で行うことが可能である。すなわち、（ａ）静的な意味で、平滑化手順がディスプレイの使用時間全体にわたって同一のままである場合、または、（ｂ）動的な意味で、平滑化を各ビデオ画像を表示する時点において行う場合。
【００５１】
静的な平滑化を、数値演算および／または信号処理の専門家には公知の数理的な平滑化を使用して、測定されたピクセルデータまたは補正データに対して行うことである。したがって、静的な平滑化は、単純に、補正データメモリ内に記憶されるサブピクセル補正データを求めるアルゴリズムにおけるステップの１つとなる。静的な平滑化は実時間データ従属性を全く導入せず、したがって、ピクセルデータ処理は必要に応じて並行して実行されることが可能である。静的な平滑化は、ビデオデータ補正手順の電子的な実行方法を変化させない。静的な平滑化は、図１１に示すタイプのアーキテクチャに完全に適合可能である。
【００５２】
一方、実時間ディスプレイ動作中の動的平滑化は実時間データ従属性を導入する。この従属性の範囲は、採用される特定の動的平滑化アルゴリズムに基づいて決定される。光学的な不規則性、電気光学的な不規則性、周囲光における不規則性、電子的な不規則性、機械的な不規則性、または、材料上の不規則性によって生じさせられる不均一性の動的な平滑化を、出力フレームバッファメモリ７８内の補正されたビデオデータを操作することによって行ってもよい。動的な平滑化は、実際のビデオデータにおける鮮明な細部を識別するためにエッジパターン検出を必要とする。しかし、エッジが固定パターンと特徴のある特性（ｃｈａｒａｃｔｅｒｉｓｔｉｃ  ｓｉｇｎａｔｕｒｅ）を有して静的であるので、エッジを実際のビデオデータのパターンから容易に識別することが可能である。動的平滑化の様々な電子的実行は、特注設計されたハードウェアと汎用ディジタル信号処理（ＤＳＰ）チップとを使用することによって可能である。移動平均法のような平滑化アルゴリズムは、ピクセルデータの相互作用が局所的であるので、本来的に並列アルゴリズムである。静的平滑化に比較して動的平滑化の実行は著しく複雑であるが、ディスプレイの温度上昇またはエージング格差から生じる不規則性のような経時的に変化するエッジに関連した不規則性の補正を可能にする。
【００５３】
最後に、タイルエッジにおける光学的な不規則性、電気光学的な不規則性、周囲光における不規則性、電子的な不規則性、機械的な不規則性、または、材料上の不規則性に対して所与のタイル状ディスプレイを補正するための手順全体を考察する。この手順では区分化した線形補間法を選択した。ディスプレイは、それぞれに１つのオブジェクトとして扱われるタイルの内側領域と、補正手順でそれぞれに１つのオブジェクトとして扱われる、継ぎ目の直ぐ近くの予め決められた領域内の個々のピクセルとに分割されていると仮定する。この例は、本発明の開示内容が互いにどのように関係しているかということと、上述の全ての使用可能なアルゴリズムと方法を研究し尽くすことなしに、どのように本発明の開示内容を使用するかということを例示するために選択されている。この手順全体を２つの副次手順に分けて説明する。第１の副次手順はタイルの内側領域に関する補正値を求め、第２の副次手順は継ぎ目領域内の個々のピクセルの関する補正値を求める。両方の副次手順は論理的に結合されているステップである。
副次手順１：内側領域に対する補正
ステップ１  新たな原色を選択する。
【００５４】
ステップ２  現在の原色に対する新たなグレースケールセグメントを選択する。
ステップ３  現在原色グレースケール画像を表示する。
ステップ４  ピクセルアレイ全体にわたっての原色グレースケール画像マップを測定し、記憶する。
【００５５】
ステップ５  必要に応じて画像マップから空間高周波数成分をフィルタリングする。
ステップ６  同一の絶対的または相対的輝度レベルに全タイルの内側領域を整合させる、現在のグレースケールセグメントと原色とに対するタイル個有の補正データ定数を求める。
【００５６】
ステップ７  ステップ２に戻る。全グレースケールセグメントの処理が完了すれば、ステップ８に進む。
ステップ８  現在の原色に対するグレースケールセグメントにおけるタイル個有の補正データ勾配を求める。必要に応じて新たな画像マップを表示し測定する。
【００５７】
ステップ９  ステップ１に戻る。原色全ての処理が完了すると、ステップ１０に進む。
ステップ１０  補正データメモリとピクセルデータ処理とに適した形式で、タイル内側固有のグレースケールセグメントと原色固有の補正データ定数と勾配との全てを記憶する。
副次手順２：エッジピクセルに対する補正
ステップ１  新たな原色を選択する。
【００５８】
ステップ２  原色に対する新たなグレースケールセグメントを選択する。
ステップ３  定数補正のために原色グレースケール画像を表示する。
ステップ４  ピクセルアレイ全体にわたって原色グレースケール画像を測定し、タイルの内側領域に適用された副次手順１からの補正データと共に記憶する。ステップ５  必要に応じて画像マップから空間高周波数成分をフィルタリングする。
【００５９】
ステップ６  継ぎ目領域内の新たなサブピクセルを選択する。
ステップ７  現在のサブピクセルとグレースケールセグメントと原色に対してサブピクセル固有の補正データ定数を求める。
ステップ８  ステップ６に戻る。全サブピクセルの処理が完了すると、ステップ９に進む。
【００６０】
ステップ９  勾配補正のために原色グレースケール画像を表示する。
ステップ１０  ピクセルアレイ全体にわたって原色グレースケール画像を測定し、タイルの全内側領域に適用された副次手順１からの補正データと継ぎ目領域内の全サブピクセルに適用されたグレースケール補正定数と共に記憶する。
ステップ１１  必要に応じて画像マップから空間高周波数成分をフィルタリングする。
【００６１】
ステップ１２  継ぎ目領域内の新たなサブピクセルを選択する。
ステップ１３  現在のサブピクセルとグレースケールセグメントと原色に対してサブピクセル固有の補正データ勾配を求める。
ステップ１４  ステップ１２に戻る。全サブピクセルの処理が完了すると、ステップ１５に進む。
【００６２】
ステップ１５  現在のサブピクセルとグレースケールセグメントと原色に対するサブピクセル補正データ（定数、勾配）に平滑化アルゴリズムを適用する。
ステップ１６  ステップ２に戻る。全グレースケールセグメントの処理が完了すると、ステップ１７に進む。
ステップ１７  ステップ１に戻る。全原色に対する処理が完了すると、ステップ１８に進む。
【００６３】
ステップ１８  補正データメモリとピクセルデータ処理とに適した形式で、継ぎ目領域のサブピクセルとグレースケールセグメントと原色との固有の補正データと定数と勾配との全てを記憶する。
上述の手順では、特定の重み付けされた応答曲線が実効Ｔ−Ｖ曲線を記述すると仮定されている。例えば精神生理学的理由または表示画像の色度内容のために目視者がこの選択された重み付け応答曲線を別の重み付け応答曲線に切り換える時には、上述の手順全体を簡単に繰り返すことが可能である。しかし、このことはごく僅かであるが追加の作業を含む。この代わりに、１つの重み付けされた応答曲線に関する補正データを数値演算によって他の応答曲線用に直接変換することが可能である。タイル状ディスプレイに関連したエッジ効果の影響が既に完全に特徴となっており、したがってその他の補正データセットを一意的に決定するから、この直接の変換が可能なのである。
【００６４】
特定の表示のために、または、他の液晶設計とサブピクセルフィルタに適合するように、追加の設計を行うことも可能である。さらに別の追加の設計が、本発明で開示する原理を使用して当業者によって開発されることが可能である。
本発明の補正アルゴリズムをタイル状液晶ディスプレイに関連付けて説明してきたが、場合によっては、こうしたアルゴリズムを、継ぎ目のないモノリシックＬＣＤまたは継ぎ目を明確に示すように組み立てられたタイル状ＬＣディスプレイのような他のディスプレイにおける同様の不規則性を補正するために使用することが可能である。後者はビデオウォール（ｖｉｄｅｏ  ｗａｌｌ）を含む。本発明の開示内容をこうした他のディスプレイに適用することが、当業者によって容易に発展されることが可能である。
【００６５】
特定の動作要件および環境に適合するように変更された他の変型と改変とが当業者には明らかなはずなので、本発明は、この開示のために選択された実施形態には限定されないものと見なされなければならず、本発明の真の着想と範囲から逸脱しない全ての変更と改変を範囲に含む。
本発明を上記のように説明したが、特許証による保護が求められるものが後述の添付の特許請求項に示されている。
【図面の簡単な説明】
【図１ａ】  従来技術の方法によって構成されたタイル状フラットパネルディスプレイの平面図である。
【図１ｂ】  図１ａのタイル状フラットパネルディスプレイにおけるタイルの１つの略図である（狭幅のシールが内側で、広幅のシールが外側である）。
【図２】  シール内のスペーサと画像表示区域内のスペーサとを有するＬＣＤタイルの断面図である。
【図３】  タイル状フラットパネルディスプレイにおける典型的なセルギャップのトポグラフ図である。
【図４】  タイルエッジからタイル内側に向かっての、ＬＣタイルに関する計算上のセルギャップの差を示す図である。
【図５】  タイルエッジからタイル中央部に向かっての、ＬＣタイルのエッジ付近の最悪の場合の測定された正規化ピクセル輝度を示す図である。
【図６】  タイルにおけるＬＣセルギャップ厚さの差を原因とする、３原色（Ｒ、Ｇ、Ｂサブピクセル）の相対的な光透過率を示す図である。
【図７】  緑色光と青色光と赤色光の場合の、セルギャップと波長との比率の関数としての、ＬＣＤタイルの正規化された輝度を示す図である。
【図８】  ２8ビット範囲（０−２５５領域）内で特定した入力信号の関数として、２つのサブピクセルの正規化された有効Ｔ−Ｖ曲線（０−１領域）の間の典型的な差異を示す図である。
【図９】  線形２8ビット入力および出力信号に対して特定した正規値からの赤色サブピクセルと緑色サブピクセルと青色サブピクセルの相対輝度の偏差を示す図である。
【図１０ａ】  典型的なＬＣタイルのエッジ付近のＲＧＢサブピクセルの相対輝度を示す図である。
【図１０ｂ】  部分的に補正された後の、典型的なＬＣタイルのエッジ付近のＲＧＢサブピクセルの相対輝度を示す図である。
【図１０ｃ】  完全に補正された後の、典型的なＬＣタイルのエッジ付近のＲＧＢサブピクセルの相対輝度を示す図である。
【図１１】  継ぎ目におけるセルギャップを含む、光学的な不規則性と電気光学的な不規則性と周囲光における不規則性と電子的な不規則性と機械的な不規則性と材料上の不規則性とに対して整合をする、絶対的または相対的ピクセルデータを使用して入力ピクセルデータを補正するための処理系のブロック図である。
【図１２】  正規化された出力輝度ΔＬに対する所望の補正を生じさせる、サブピクセルの入力信号Δｓに対する補正のグラフによる決定を示す図である。
【図１３】  補正前、相対輝度レベルを合致するための補正後、および、輝度レベルを平滑化するための補正後の、タイル状液晶ディスプレイの継ぎ目を夾んでの輝度の線上走査を示す図である。
【図１ａ】
0004603747.tif 000004
【図１ｂ】
0004603747.tif 000005
【図２】
0004603747.tif 000006
【図３】
0004603747.tif 000007
【図４】
0004603747.tif 000008
【図５】
0004603747.tif 000009
【図６】
0004603747.tif 000010
【図７】
0004603747.tif 000011
【図８】
0004603747.tif 000012
【図９】
0004603747.tif 000013
【図１０ａ−ｃ】
0004603747.tif 000014
【図１１】
0004603747.tif 000015
【図１２】
0004603747.tif 000016
【図１３】
0004603747.tif 000017